(57)【特許請求の範囲】
【請求項１】
上面に無線電話機装着用凹部が形成された卓上ホルダと、
該卓上ホルダ内に配設される基板と、
前記卓上ホルダの無線電話機装着用凹部内へ突出し無線電話機の充電用端子が当接可能となるよう前記基板に取り付けられた給電用接片と、
給電用の接続プラグが接続されるよう前記基板の前記給電用接片と同じ側の面に取り付けられたコネクタと、
前記給電用接片に対向して前記無線電話機装着用凹部内へ突出し、前記無線電話機の係合溝に係合する爪部と、
を備え、
前記卓上ホルダは、底面が開放されると共に、前記給電用接片と前記コネクタとを収容する給電空間と、前記コネクタに対する前記接続プラグの接続時に該接続プラグが収まる収納空間とを仕切る仕切板を内部に有し、
前記基板は、開放された底面から前記給電空間のみを覆うように取り付けられると共に、
前記仕切板には、前記コネクタと向かい合う位置に、前記接続プラグが挿通される挿入孔が設けられ、
前記給電用接片は前記卓上ホルダ内の一端に、前記爪部は前記卓上ホルダの他端に、前記コネクタは前記給電用接片と前記爪部の中間に、それぞれ設けられており、
前記給電用接片は、その突出方向が前記コネクタ側になるよう前記基板に取り付けられていることを特徴とする無線電話機用充電装置。
【請求項２】
前記爪部は、前記卓上ホルダの前記無線電話機装着用凹部の周囲に前記収納空間に通じるスリットを形成し、弾性変形可能に構成してあることを特徴とする請求項１記載の無線電話機用充電装置。
【請求項３】
前記卓上ホルダは、前記底面の開口縁部における複数箇所に座部が一体に形成され、該座部に弾性部材からなる足片が取り付けられており、
前記基板は、前記給電空間における前記座部を除いた底面を覆う形状を有していることを特徴とする請求項１又は２に記載の無線電話機用充電装置。
【発明の詳細な説明】
【０００１】
【発明の属する技術分野】
本発明は、無線電話機用充電装置に関するものである。
【０００２】
【従来の技術】
一般に、携帯電話やＰＨＳ等の移動通信体、或いは有線方式の電話機に付属するコードレス子機のような無線電話機は、送受信に必要な電力を得るための電池が内蔵されており、充電装置により定期的に充電を行う必要がある。
【０００３】
斯かる無線電話機用の充電装置としては、従来、例えば、図７及び図８に示されたようなものが存在し、これは、上面に無線電話機としての携帯電話１のための携帯電話装着用凹部２が形成された卓上ホルダ３と、該卓上ホルダ３内に配設された基板４と、前記卓上ホルダ３の携帯電話装着用凹部２内へ突出し携帯電話１の充電用端子５が当接可能となるよう前記基板４に半田等で取り付けられた給電用接片６と、給電用の接続プラグ７が接続されるよう前記基板４に半田等で取り付けられたコネクタ８と、前記卓上ホルダ３の反給電用接片側における携帯電話装着用凹部２内へ突出し且つ携帯電話１の係合溝９に係合する爪部１０とを備えてなる構成を有している。
【０００４】
前記卓上ホルダ３は、上ケース３ａと下ケース３ｂとを一体に組み付けてなり、又、前記爪部１０は、上ケース３ａ内にピン１１を中心として回動自在となるよう枢支されたロックアーム１２の先端に一体に形成されており、該ロックアーム１２は、スプリング１３の付勢力により、図８中、前記ピン１１を中心に反時計方向へ回動する方向に付勢され、これにより、上ケース３ａの小孔１４から爪部１０が所要量だけ突出するようになっている。
【０００５】
一方、前記接続プラグ７は、給電用コンセント（図示せず）に接続されるＡＣ金属端子１５を有し且つ交流電流を所定電圧値の直流電流に変換するＡＣアダプタ１６に対し、アダプタコード１７を介して接続されており、前記卓上ホルダ３の上ケース３ａに穿設された挿入孔１８から前記コネクタ８に対し、着脱自在に接続されるようになっている。
【０００６】
又、前記卓上ホルダ３の下ケース３ｂの底面における四隅部には、ゴム等の弾性部材からなる足片１９を、両面テープ又は接着剤等で貼り付けてあり、机やテーブル等への卓上ホルダ３の設置時にそれ自体の安定化を図ると共に、机やテーブル等の表面に傷がついたりすることを防止するようになっている。
【０００７】
尚、図７及び図８中、２０は卓上ホルダ３の上ケース３ａの携帯電話装着用凹部内面側に突設されたリブであり、携帯電話装着用凹部２に携帯電話１を装着した際、該携帯電話１の凹溝（図示せず）にリブ２０が係合するようになっている。
【０００８】
前記携帯電話１の充電を行う際には、アダプタコード１７の接続プラグ７を卓上ホルダ３の上ケース３ａに穿設された挿入孔１８からコネクタ８に接続し且つＡＣアダプタ１６のＡＣ金属端子１５を給電用コンセントに接続した状態で、卓上ホルダ３の上ケース３ａの携帯電話装着用凹部２に携帯電話１を嵌め込むようにすると、給電用接片６に携帯電話１の充電用端子５が当接し、且つ携帯電話１の凹溝（図示せず）にリブ２０が係合すると共に、上ケース３ａの小孔１４から所要量だけ突出している爪部１０が、スプリング１３の付勢力に抗して小孔１４内に一旦押し込まれ、これにより、携帯電話１の携帯電話装着用凹部２内への挿入が許容され、該携帯電話１が所定の位置まで挿入されると、爪部１０が前記スプリング１３の付勢力により上ケース３ａの小孔１４から再び所要量だけ突出し携帯電話１の係合溝９に係合し、携帯電話１が携帯電話装着用凹部２から簡単には抜けないようになり、この状態で、携帯電話１に内蔵された電池への充電が行われる。
【０００９】
充電完了後には、携帯電話１を卓上ホルダ３から多少力を入れて持ち上げるようにすると、携帯電話１の係合溝９に係合している爪部１０が、スプリング１３の付勢力に抗して小孔１４内に一旦押し込まれ、これにより、携帯電話１の携帯電話装着用凹部２内からの離脱が許容され、該携帯電話１が卓上ホルダ３から取り外される。
【００１０】
【発明が解決しようとする課題】
しかしながら、前述の如き従来の無線電話機用充電装置では、卓上ホルダ３が上ケース３ａと下ケース３ｂとを一体に組み付けた構造となっていると共に、卓上ホルダ３への携帯電話１の装着時に該携帯電話１を固定するためのロック機構として、ロックアーム１２やスプリング１３等の部品が必要となっているため、部品点数並びに組み付け工数が増加し、コストアップにつながっていた。
【００１１】
又、給電用接片６とコネクタ８とが取り付けられた基板４の面積が大きくなっていると共に、コネクタ８に対する接続プラグ７の接続時には、該接続プラグ７が卓上ホルダ３の外側に突出する形となるため、設置スペースが広く必要となり、改善の余地が残されていた。
【００１２】
本発明は、斯かる実情に鑑み、卓上ホルダの構造を簡略化し得、部品点数削減並びに組み付け工数削減によるコストダウンを図ることができ、又、基板面積を縮小し得、小型化によるコストダウンを図ることができ、且つコネクタに対する接続プラグの接続時に、該接続プラグが卓上ホルダの外側に突出することを防止し得、設置スペースの縮小化をも図り得る無線電話機用充電装置を提供しようとするものである。
【００１３】
【課題を解決するための手段】
本発明は、上面に無線電話機装着用凹部が形成された卓上ホルダと、
該卓上ホルダ内に配設される基板と、
前記卓上ホルダの無線電話機装着用凹部内へ突出し無線電話機の充電用端子が当接可能となるよう前記基板に取り付けられた給電用接片と、
給電用の接続プラグが接続されるよう前記基板の前記給電用接片と同じ側の面に取り付けられたコネクタと、
前記給電用接片に対向して前記無線電話機装着用凹部内へ突出し、前記無線電話機の係合溝に係合する爪部と、
を備え、
前記卓上ホルダは、底面が開放されると共に、前記給電用接片と前記コネクタとを収容する給電空間と、前記コネクタに対する前記接続プラグの接続時に該接続プラグが収まる収納空間とを仕切る仕切板を内部に有し、
前記基板は、開放された底面から前記給電空間のみを覆うように取り付けられると共に、
前記仕切板には、前記コネクタと向かい合う位置に、前記接続プラグが挿通される挿入孔が設けられ、
前記給電用接片は前記卓上ホルダ内の一端に、前記爪部は前記卓上ホルダの他端に、前記コネクタは前記給電用接片と前記爪部の中間に、それぞれ設けられており、
前記給電用接片は、その突出方向が前記コネクタ側になるよう前記基板に取り付けられていることを特徴とする無線電話機用充電装置にかかるものである。
【００１４】
上記手段によれば、以下のような作用が得られる。
【００１５】
下ケースが削除された構造となるため、部品点数削減並びに組み付け工数削減によるコストダウンが可能となる。
【００１６】
又、前記卓上ホルダは、底面が開放されると共に、前記給電用接片と前記コネクタとを収容する給電空間と、前記コネクタに対する前記接続プラグの接続時に該接続プラグが収まる収納空間とを仕切る仕切板を内部に有し、
前記基板は、開放された底面から前記給電空間のみを覆うように取り付けられると共に、
前記仕切板には、前記コネクタと向かい合う位置に、前記接続プラグが挿通される挿入孔が設けられ、
前記給電用接片は前記卓上ホルダ内の一端に、前記爪部は前記卓上ホルダの他端に、前記コネクタは前記給電用接片と前記爪部の中間に、それぞれ設けられており、
前記給電用接片は、その突出方向が前記コネクタ側になるよう前記基板に取り付けられているため、
基板面積が縮小され、小型化によるコストダウンが可能になると共に、コネクタに対する接続プラグの接続時には、該接続プラグが卓上ホルダの接続プラグ収納空間内に収まる形となり、卓上ホルダの外側に突起物がなくなるため、設置スペースの縮小化にも役立つ。
【００１７】
前記無線電話機用充電装置においては、前記爪部は、前記卓上ホルダの前記無線電話機装着用凹部の周囲に前記収納空間に通じるスリットを形成し、弾性変形可能に構成することができ、このようにすると、卓上ホルダへの無線電話機の装着時に該無線電話機を固定するためのロック機構として、ロックアームやスプリング等の部品が不要となり、更なる部品点数削減並びに組み付け工数削減によるコストダウンが可能となる。
【００１８】
又、前記卓上ホルダは、前記底面の開口縁部における複数箇所に座部が一体に形成され、該座部に弾性部材からなる足片が取り付けられており、
前記基板は、前記給電空間における前記座部を除いた底面を覆う形状を有しているようにすることもでき、このようにすると、下ケースがなくても足片の取付が可能となり、机やテーブル等への卓上ホルダの設置時にそれ自体の安定化が図られると共に、机やテーブル等の表面に傷がついたりすることも防止される。
【００１９】
【発明の実施の形態】
以下、本発明の実施の形態を図示例と共に説明する。
【００２０】
図１〜図６は本発明を実施する形態の一例であって、図中、図７及び図８と同一の符号を付した部分は同一物を表わしており、基本的な構成は図７及び図８に示す従来のものと同様であるが、本図示例の特徴とするところは、図１〜図６に示す如く、底面が開放された上ケース３ａのみによって卓上ホルダ３を形成した点にある。
【００２１】
本図示例の場合、上ケース３ａにスリット２１を設けることにより、爪部１０を弾性変形可能となるよう上ケース３ａに一体に形成してある。図４（Ａ）に示す如く、前記爪部１０の先端部における水平線に対する上側の傾斜角度αと、下側の傾斜角度βと、突出量γはそれぞれ、
α＝０〜７０°
β＝０〜７０°
γ＝０．５〜２．０［ｍｍ］
といった範囲内で携帯電話１の大きさ、重量等に応じて適宜調整するのが望ましく、このようにすると、携帯電話１の係合溝９に対する爪部１０の係合・離脱が円滑に行われ、且つ卓上ホルダ３への携帯電話１の装着時におけるロックも確実に行われる形となる。尚、前記携帯電話１の係合溝９の形状は、図４（Ａ）に示すような断面四角形状に限らず、図４（Ｂ）に示すような断面三角形状であってもよい。
【００２２】
又、前記上ケース３ａ内部には、図３に示す如く、仕切板２２を設けて給電空間２３と接続プラグ収納空間２４とを形成し、給電用接片６とコネクタ８とが取り付けられた基板４を上ケース３ａに対し給電空間２３の底部を覆うように取り付けると共に、コネクタ８に対する接続プラグ７の接続時に該接続プラグ７が上ケース３ａの接続プラグ収納空間２４内に収まるよう構成してある。尚、前記仕切板２２には、コネクタ８に対し接続プラグ７を接続するための挿入孔２５を穿設し、上ケース３ａの反給電用接片側における底部には、アダプタコード１７を通すための切欠部２６を形成してある。
【００２３】
更に又、図５及び図６に示す如く、上ケース３ａの底面開口縁部における複数箇所には座部２７を形成し、該座部２７にゴム等の弾性部材からなる足片１９を取り付けるようにしてある。
【００２４】
次に、上記図示例の作動を説明する。
【００２５】
前述の如く、底面が開放された上ケース３ａのみによって卓上ホルダ３を形成すると、下ケース３ｂが削除された構造となるため、部品点数削減並びに組み付け工数削減によるコストダウンが可能となる。
【００２６】
本図示例においては、爪部１０を弾性変形可能となるよう上ケース３ａに一体に形成してあるため、卓上ホルダ３への携帯電話１の装着時に該携帯電話１を固定するためのロック機構として、ロックアーム１２やスプリング１３等の部品（図８参照）が不要となり、更なる部品点数削減並びに組み付け工数削減によるコストダウンが可能となる。
【００２７】
又、上ケース３ａ内部に仕切板２２を設けて給電空間２３と接続プラグ収納空間２４とを形成し、給電用接片６とコネクタ８とが取り付けられた基板４を上ケース３ａに対し給電空間２３の底部を覆うように取り付けると共に、コネクタ８に対する接続プラグ７の接続時に該接続プラグ７が上ケース３ａの接続プラグ収納空間２４内に収まるよう構成してあるため、基板４の面積が縮小され、小型化によるコストダウンが可能になると共に、コネクタ８に対する接続プラグ７の接続時には、該接続プラグ７が上ケース３ａの接続プラグ収納空間２４内に収まる形となり、卓上ホルダ３の外側に突起物がなくなるため、設置スペースの縮小化にも役立つ。
【００２８】
更に又、上ケース３ａの底面開口縁部における複数箇所に座部２７を形成し、該座部２７に弾性部材からなる足片１９を取り付けるようにしてあるため、下ケース３ｂがなくても足片１９の取付が可能となり、机やテーブル等への卓上ホルダ３の設置時にそれ自体の安定化が図られると共に、机やテーブル等の表面に傷がついたりすることも防止される。
【００２９】
こうして、卓上ホルダ３の構造を簡略化し得、部品点数削減並びに組み付け工数削減によるコストダウンを図ることができ、又、基板４の面積を縮小し得、小型化によるコストダウンを図ることができ、且つコネクタ８に対する接続プラグ７の接続時に、該接続プラグ７が卓上ホルダ３の外側に突出することを防止し得、設置スペースの縮小化をも図り得、更に又、下ケース３ｂがなくても足片１９の取付を行うことができ、机やテーブル等への卓上ホルダ３の設置時にそれ自体の安定化を図り得ると共に、机やテーブル等の表面に傷がついたりすることも防止できる。
【００３０】
尚、本発明の無線電話機用充電装置は、上述の図示例にのみ限定されるものではなく、本発明の要旨を逸脱しない範囲内において種々変更を加え得ることは勿論である。
【００３１】
【発明の効果】
以上、説明したように本発明の請求項１記載の無線電話機用充電装置によれば、給電用接片とそれに対向する爪部とにより無線電話機の両端を部分を把持して固定する卓上ホルダの構造を下ケースを削除して簡略化し得、部品点数削減並びに組み付け工数削減によるコストダウンを図ることができ、基板面積を縮小し得、小型化によるコストダウンを図ることができ、且つコネクタに対する接続プラグの接続時に、該接続プラグが卓上ホルダの外側に突出することを防止し得、設置スペースの縮小化をも図り得るという優れた効果を奏し得、又、本発明の請求項２記載の無線電話機用充電装置によれば、上記効果に加え更に、卓上ホルダへの無線電話機の装着時に該無線電話機を固定するためのロック機構として、ロックアームやスプリング等の部品が不要となり、更なる部品点数削減並びに組み付け工数削減によるコストダウンを図ることができるという優れた効果を奏し得、又、本発明の請求項３記載の無線電話機用充電装置によれば、上記効果に加え更に、下ケースがなくても足片の取付を行うことができ、机やテーブル等への卓上ホルダの設置時にそれ自体の安定化を図り得ると共に、机やテーブル等の表面に傷がついたりすることも防止できるという優れた効果を奏し得る。
【図面の簡単な説明】
【図１】本発明を実施する形態の一例の斜視図である。
【図２】図１のＩＩ部拡大図である。
【図３】本発明を実施する形態の一例の側断面図である。
【図４】図３のＩＶ部拡大図であって、（Ａ）は携帯電話の係合溝の形状が断面四角形状の場合を示す図であり、（Ｂ）は携帯電話の係合溝の形状が断面三角形状の場合を示す図である。
【図５】本発明を実施する形態の一例の底面図である。
【図６】図１及び図５のＶＩ−ＶＩ断面相当図である。
【図７】従来例の斜視図である。
【図８】従来例の側断面図である。
【符号の説明】
１      携帯電話（無線電話機）
２      携帯電話装着用凹部（無線電話機装着用凹部）
３      卓上ホルダ
３ａ    上ケース
４      基板
５      充電用端子
６      給電用接片
７      接続プラグ
８      コネクタ
９      係合溝
１０      爪部
１９      足片
２１      スリット
２２      仕切板
２３      給電空間
２４      接続プラグ収納空間
２５      挿入孔
２６      切欠部
２７      座部
【図１】
0004119626.tif 000002
【図２】
0004119626.tif 000003
【図３】
0004119626.tif 000004
【図４】
0004119626.tif 000005
【図５】
0004119626.tif 000006
【図６】
0004119626.tif 000007
【図７】
0004119626.tif 000008
【図８】
0004119626.tif 000009